(57)【要約】【課題】ＬＥＤチップから放射される所定色の可視光と、有機蛍光体から放射される所定色の可視光とを十分に混色させることのできる発光ダイオードを実現する。【解決手段】青色可視光を放射するＬＥＤチップ20の上方に、多数の空隙32が形成されたメッシュ状基体28を配置すると共に、上記メッシュ状基体28の表面に、上記ＬＥＤチップ20の放射光で励起されて黄色可視光を放射する有機蛍光体26を担持させたことを特徴とする発光ダイオード10。【選択図】図１
2012134405.tif 000002
【特許請求の範囲】
【請求項１】
所定色の可視光を放射するＬＥＤチップの上方に、多数の空隙が形成されたメッシュ状基体を配置すると共に、上記メッシュ状基体の表面に、上記ＬＥＤチップの放射光で励起されて所定色の可視光を放射する有機蛍光体を担持させたことを特徴とする発光ダイオード。
【請求項２】
上記ＬＥＤチップを凹部内に配置して、ＬＥＤチップを該ＬＥＤチップより高さが高い枠部材で囲繞すると共に、上記枠部材上に上記メッシュ状基体を配置したことを特徴とする請求項１に記載の発光ダイオード。
【請求項３】
上記メッシュ状基体が、紐を格子状に織り込んで構成されていることを特徴とする請求項１又は２に記載の発光ダイオード。
【請求項４】
上記ＬＥＤチップが青色可視光を放射するものであり、上記有機蛍光体が黄色可視光を放射するものであることを特徴とする請求項１乃至３の何れかに記載の発光ダイオード。
【発明の詳細な説明】
【技術分野】
【０００１】
この発明は、発光ダイオードチップ（ＬＥＤチップ）と有機蛍光体を備えた発光ダイオードに係り、特に、ＬＥＤチップから放射される所定色の可視光と、ＬＥＤチップの放射光で励起されて有機蛍光体から放射される所定色の可視光との混色光を得る発光ダイオードに関する。
【背景技術】
【０００２】
有機蛍光体は、無機蛍光体に比べて鮮明な可視光を発光することから発光ダイオード用の蛍光体として用いることが提案されている。
例えば、特開平１０−２００１６５号公報には、「複数のリード（２）（４）と、該複数のリード（２）（４）間に電気的に接続された半導体発光素子（５）と、前記複数のリード（２）（４）の一端及び前記半導体発光素子（５）を封止する樹脂封止体（７）とを備えた半導体発光素子において、有機蛍光体等の蛍光体を含む透光性の蛍光カバー（９）を前記樹脂封止体（７）の外面に被着したことを特徴とする半導体発光装置」が開示されている。
【特許文献１】特開平１０−２００１６５号公報
【発明の開示】
【発明が解決しようとする課題】
【０００３】
ところで、上記有機蛍光体は、一般に発光色と同じ体色を有しているものである。このため、例えば、ＬＥＤチップから放射される青色可視光と、蛍光体から放射される黄色可視光を混色させて白色光を得る発光ダイオードにおいて、黄色の体色を有する黄色可視光発光用の有機蛍光体を用いた場合、ＬＥＤチップから放射される青色可視光が、黄色の体色を有する有機蛍光体によって遮られてしまい、その結果、ＬＥＤチップの青色可視光と有機蛍光体の黄色可視光とが十分に混色せず、黄色味の強い白色光しか得られないといった事態が生じていた。
【０００４】
本発明は、上記従来の問題点に鑑みてなされたものであり、その目的は、ＬＥＤチップから放射される可視光と、有機蛍光体から放射される可視光とを十分に混色させることのできる発光ダイオードを実現することにある。
【課題を解決するための手段】
【０００５】
上記の目的を達成するため、本発明の請求項１に記載の発光ダイオードは、
所定色の可視光を放射するＬＥＤチップの上方に、多数の空隙が形成されたメッシュ状基体を配置すると共に、上記メッシュ状基体の表面に、上記ＬＥＤチップの放射光で励起されて所定色の可視光を放射する有機蛍光体を担持させたことを特徴とする。
【０００６】
本発明の請求項２に記載の発光ダイオードは、請求項１に記載の発光ダイオードにおいて、
上記ＬＥＤチップを凹部内に配置して、ＬＥＤチップを該ＬＥＤチップより高さが高い枠部材で囲繞すると共に、上記枠部材上に上記メッシュ状基体を配置したことを特徴とする。
【０００７】
本発明の請求項３に記載の発光ダイオードは、請求項１又は２に記載の発光ダイオードにおいて、
上記メッシュ状基体が、紐を格子状に織り込んで構成されていることを特徴とする。
【０００８】
本発明の請求項４に記載の発光ダイオードは、請求項１乃至３の何れかに記載の発光ダイオードにおいて、
上記ＬＥＤチップが青色可視光を放射するものであり、上記有機蛍光体が黄色可視光を放射するものであることを特徴とする。
【発明の効果】
【０００９】
本発明の発光ダイオードにあっては、所定色の可視光を放射するＬＥＤチップの上方に、多数の空隙が形成されたメッシュ状基体を配置すると共に、上記メッシュ状基体の表面に、上記ＬＥＤチップの放射光で励起されて所定色の可視光を放射する有機蛍光体を担持させたことから、ＬＥＤチップから放射される所定色の可視光は、メッシュ状基体の上記空隙を通ることにより、有機蛍光体から放射される所定色の可視光と十分に混色させることができる。
【発明を実施するための最良の形態】
【００１０】
以下、図面に基づき、本発明に係るＬＥＤ10の実施形態を説明する。
本発明に係るＬＥＤ10は図１及び図２に示すように、樹脂やセラミック等の絶縁材料より成り、口径が下端から上端に向かって拡開する略リング状の枠部材14と、銅等より成る第１のリードフレーム16及び第２のリードフレーム18を有している。
【００１１】
上記枠部材14の底面14ａ及び底面開口を、第１のリードフレーム16の先端部16ａで覆うことにより凹部17が形成されており、該凹部17内に露出した第１のリードフレーム16の先端部16ａに、ＬＥＤチップ20をダイボンドすることにより、第１のリードフレーム16とＬＥＤチップ20底面の一方の電極（図示せず）とを電気的に接続している。第１のリードフレーム16の後端部16ｂは、枠部材14を貫通して外方へ向かって水平方向に取り出されている。
而して、凹部17内に露出した第１のリードフレーム16の先端部16ａに、ＬＥＤチップ20を配置したことにより、ＬＥＤチップ20は、該ＬＥＤチップ20より高さが高い枠部材14によって囲繞されることとなる。
上記ＬＥＤチップ20は、窒化ガリウム系半導体結晶等で構成されており、後述する有機蛍光体を励起させる波長の紫外線及び青色可視光を発光するものである。
【００１２】
また、第２のリードフレーム18は、上記枠部材14を貫通して凹部17内に露出する先端部18ａと、枠部材14の外方へ向かって水平方向に取り出されている後端部18ｂを有しており、第２のリードフレーム18の先端部18ａと、上記ＬＥＤチップ20上面の他方の電極（図示せず）とをボンディングワイヤ22を介して電気的に接続して成る。
【００１３】
上記第１のリードフレーム16の先端部16ａと、第２のリードフレーム18の先端部18ａは、上下方向に所定の間隙を設けて対向配置されることにより、相互に絶縁されている。
【００１４】
上記枠部材14の上端には、枠部材14上端の内壁を薄くして形成した段部24が形成されており、該段部24上に、有機蛍光体26を担持して成る円盤型のメッシュ状基体28（図３）が配置されている。この結果、ＬＥＤチップ20上方の枠部材14上に、有機蛍光体26が担持された基体28が配置され、また、枠部材14の上面開口が上記円盤状の基体28によって閉塞されることとなる。
【００１５】
上記メッシュ状基体28は、図４及び図５に示すように、樹脂繊維、ガラス繊維等の多数の繊維（図示せず）を縒る等して形成した紐30を格子状に織り込んで構成されているものであり、紐30間に多数の空隙32（図４参照）が形成されている。尚、光の透過性の観点から、透光性材料でメッシュ状基体28を構成することが好ましい。
【００１６】
図５に示すように、有機蛍光体26は、メッシュ状基体28を構成する紐30の表面に被着・担持されているものである。
メッシュ状基体28を構成する紐30の表面に有機蛍光体26を担持させるには、例えば、有機蛍光体26を分散させた液状樹脂を紐30の表面に塗布・吹付けたり、或いは、有機蛍光体26を分散させた液状樹脂中にメッシュ状基体28を浸漬すれば良い。
【００１７】
上記有機蛍光体26は、ＬＥＤチップ20の放射光（紫外線及び青色可視光）によって励起されて黄色可視光を放射するものであり、黄色の体色を有している。
而して、上記ＬＥＤ10は、第１のリードフレーム16及び第２のリードフレーム18を介してＬＥＤチップ20に電圧が印加されると、ＬＥＤチップ20から上記有機蛍光体26を励起する紫外線及び青色可視光が発光する。この光が、ＬＥＤチップ20の上方に配置されているメッシュ状基体28に担持された有機蛍光体26を励起し、有機蛍光体26から黄色可視光が放射され、この黄色可視光とＬＥＤチップ20の青色可視光とが混色した白色光が外部へ放射されるのである。
【００１８】
本発明のＬＥＤ10にあっては、青色可視光を放射するＬＥＤチップ20の上方に、多数の空隙32が形成されたメッシュ状基体28を配置すると共に、上記メッシュ状基体28の表面に黄色可視光を放射する有機蛍光体26を担持させたことから、ＬＥＤチップ20から放射される青色可視光は、メッシュ状基体28の上記空隙32を通ることにより、有機蛍光体26から放射される黄色可視光と十分に混色させることができる。
【００１９】
上記においては、紐30を格子状に織り込んでメッシュ状基体28を構成した場合を例示したが、これに限定されるものではなく、例えば、樹脂板に多数の空隙32を形成することによりメッシュ状基体28を構成することもでき、要するに、多数の空隙32を有するメッシュ状基体28であれば良い。
【００２０】
また上記においては、ＬＥＤチップ20から放射される青色可視光と、有機蛍光体26から放射される黄色可視光とを混色させて白色光を得るＬＥＤ10を例示して説明したが、本発明はこれに限定されるものではなく、ＬＥＤチップ20から放射される所定色の可視光と、有機蛍光体26から放射される所定色の可視光とを混色させた光を得るＬＥＤ10に適用可能である。
【００２１】
さらに、上記においてはメッシュ状基体28が円盤型の場合を例示したが、これに限定されるものではなく、四角盤等の角盤型のメッシュ状基体28等、他の盤状のメッシュ状基体28を用いることも勿論できる。
【図面の簡単な説明】
【００２２】
【図１】本発明に係る発光ダイオードを模式的に示す概略断面図である。
【図２】本発明に係る発光ダイオードにおけるメッシュ状基体を取り外した状態を模式的に示す平面図である。
【図３】本発明に係る発光ダイオードにおける有機蛍光体を担持したメッシュ状基体を模式的に示す斜視図である。
【図４】本発明に係る発光ダイオードにおける有機蛍光体を担持したメッシュ状基体を模式的に示す部分拡大図である。
【図５】本発明に係る発光ダイオードにおける有機蛍光体を担持したメッシュ状基体を模式的に示す要部拡大断面図である。
【符号の説明】
【００２３】
10    ＬＥＤ
14    枠部材
14ａ  枠部材の底面
16    第１のリードフレーム
16ａ  第１のリードフレームの先端部
16ｂ  第１のリードフレームの後端部
17    凹部
18    第２のリードフレーム
18ａ  第２のリードフレームの先端部
18ｂ  第２のリードフレームの後端部
20    ＬＥＤチップ
22    ボンディングワイヤ
24    枠部材の段部
26    有機蛍光体
28    メッシュ状基体
30    紐
32    空隙
【図１】
2012134405.tif 000003
【図２】
2012134405.tif 000004
【図３】
2012134405.tif 000005
【図４】
2012134405.tif 000006
【図５】
2012134405.tif 000007